(57)【要約】【課題】蟻溝を有しない桁を支柱に強固に連結できる金属製カーポートの支柱と桁との連結構造を提供する。【解決手段】中空に形成された支柱と桁とのうち、支柱の上端に桁が落とし込まれて嵌合する組切欠を設け、桁の端の下面に支柱に嵌まる連結金物をネジ止めする一方、連結金物を支柱にネジ止めしてなる支柱と桁との連結装置において、桁には、端部に筒形の補強部材を嵌合するとともに、端面よりも離れた箇所において始着ボルトにより予めネジ止めし、次いで、端面近くでは、前記連結金物をネジ止めする上部連結ボルトを、連結金物から桁と補強部材との双方に螺入し、さらに、前記始着ボルトと対となる高さ位置において、桁の端近くで終着ボルトを両側面に通して補強部材に螺入し、そのネジ止めが完結されている。【選択図】    図１
0003125462.tif 000002
【実用新案登録請求の範囲】
【請求項１】
中空に形成された支柱と桁とのうち、支柱の上端に桁が落とし込まれて嵌合する組切欠を設け、桁の端の下面に支柱に嵌まる連結金物をネジ止めする一方、連結金物を支柱にネジ止めしてなる支柱と桁との連結装置において、桁には、端部に筒形の補強部材を嵌合するとともに、端面よりも離れた箇所において始着ボルトにより予めネジ止めし、次いで、端面近くでは、前記連結金物をネジ止めする上部連結ボルトを、連結金物から桁と補強部材との双方に螺入し、さらに、前記始着ボルトと対となる高さ位置において、桁の端近くで終着ボルトを両側面に通して補強部材に螺入し、そのネジ止めが完結されていることを特徴とする金属製屋根組みの支柱と桁との連結装置。
【請求項２】
連結金物がアルミ押出形材からなり、反転門形に形成してあることを特徴とする請求項１記載の金属製屋根組みの支柱と桁との連結装置。
【考案の詳細な説明】
【技術分野】
【０００１】
この考案は、例えばカーポートにおいて適用されるもので、金属製屋根組みの支柱と桁との連結装置に関する。
【背景技術】
【０００２】
カーポート等の簡単な小屋では、部材の量産に適し施工が容易であり耐久性に優れている等の理由から、アルミ押出形材や鋼管を部材として組み立てられる金属製のものが多用されている。その組立ては、それぞれ中空に形成された支柱の上に桁を載せて連結したもので、こうして支柱の上に架設した桁の上にタイトフレームをビス止めし、タイトフレームの上に折板を載せて結合することにより、桁と桁との間に渡すようにして屋根が葺かれ、屋根の周囲が化粧部材により縁取りされる。
【０００３】
支柱と桁との連結については、図４に示すように、支柱５１の上端内側壁に桁５３を落とし込む組切欠５４を設け、桁５３の端には、支柱５１の上端に納まる反転門形の連結金物５５をネジ止めしてなされるもので、そのネジ止めのために桁５３の下面に普通には一対の蟻溝５７，５７を形成し、ネジとしての六角ボルト５９，５９の頭部をその蟻溝５７，１７に挿入し、連結金物５５の通し孔から下した六角ボルト５９にナット６１を螺入して締めつけることにより、桁５３の両端に連結金物５５，５５が固着される。そして、組切欠５４に桁５３の端を嵌めるとともに、ボルト６３によりその連結金物５５が支柱５１に固着される。
【考案の開示】
【考案が解決しようとする課題】
【０００４】
上記のような従来の金属製屋根組みの支柱と桁との連結装置によれば、連結金物５５が支柱５１と桁５３との双方にネジ５９，６３により止められるが、そのうち桁５３に対しては六角ボルト５９の頭部を蟻溝５７に掛けることによるため連結強度に信頼性が欠け、また、屋根裏に露出する桁５３の下面に蟻溝５７が不体裁に視覚され、その内部にゴミが溜まるという不都合もあった。
【０００５】
この考案は、上記のような実情に鑑みて、蟻溝を有しない桁を支柱に強固に連結できる金属製カーポートの支柱と桁との連結構造を提供することを課題とした。
【課題を解決するための手段】
【０００６】
上記の課題を解決するために、この考案は、中空に形成された支柱と桁とのうち、支柱の上端に桁が落とし込まれて嵌合する組切欠を設け、桁の端の下面に支柱に嵌まる連結金物をネジ止めする一方、連結金物を支柱にネジ止めしてなる支柱と桁との連結装置において、桁には、端部に筒形の補強部材を嵌合するとともに、端面よりも離れた箇所において始着ボルトにより予めネジ止めし、次いで、端面近くでは、前記連結金物をネジ止めする上部連結ボルトを、連結金物から桁と補強部材との双方に螺入し、さらに、前記始着ボルトと対となる高さ位置において、桁の端近くで終着ボルトを両側面に通して補強部材に螺入し、そのネジ止めが完結されていることを特徴とする金属製屋根組みの支柱と桁との連結装置を構成した。
【０００７】
上記の構成によれば、最初において基本的には、桁には始着ボルトの通し孔のみを、支柱１には下部連結ボルトの通し孔と終着ボルトの通し孔のみを、連結金物には上部連結ボルトの通し孔のみを形成しておくもので、そうすれば、螺入孔（タップ孔）を各通し孔から明けることにより確実にネジ止めすることができ、補強部材により桁の端部が補強されるだけでなく、ネジ止め強度が高まるために堅牢な連結状態が得られる。なお、連結金物は、これに上部連結ボルトをタッピングしやすくアルミ製としたがこれに材質が限定されるものではなく、スチール製、プラスチック製であっても良い。
【考案の効果】
【０００８】
以上説明したように、この考案によれば、下面に不都合な蟻溝を有する桁を用いる必要がなく、しかも、支柱と桁とを強固に連結できるという優れた効果がある。
【考案を実施するための最良の形態】
【０００９】
図１ないし図３は、この考案をカーポートにおいて実施したもので、左右支柱１，１の上端に桁３が架設され、それには、支柱１の上端部に桁３が落とし込まれる組み合わせ用の組切欠４が設けられ、組み合わせを強固にするために、支柱１に嵌まる連結金物５の他に、桁３の端に嵌まる補強部材７が用いられる。なお、こうした屋根組みにより並列する桁３，３間に図示しない折板がタイトフレームを介して架設され（図４参照）、折板屋根が構成されている。なお、カーポートの他に、物置や仮小屋としても実施できる。
【００１０】
桁３の両端部には矩形断面の角筒形に形成された補強部材７，７が用いられ（図１）、それが嵌合されて最初は始着ボルト９，９だけで半ネジ止めされる。図１では、すべてのボルトの通し孔や螺入孔が表してあるが、桁３について最初は、端部近くに始着ボルト９，９の通し孔１１，１１が設けられるだけである。そして、先ずは、補強部材７を嵌めてから、通し孔１１，１１から螺入孔１７，１７（タップ孔）を明け、始着ボルト９，９を螺入孔１７，１７に螺入して補強部材７が言わば仮止めされる。
【００１１】
次に、桁３の端部下面に連結金物５を上部連結ボルト１９，１９により取り付ける作業となる（図２参照）。連結金物５は、反転門形であって、天片にその通し孔２１，２１が予め形成されているので、そこから螺入孔２３，２３を桁３と補強部材７の双方に明けることにより、上部連結ボルト１９，１９で連結金物５がネジ止めされる。これで補強部材７の固定が半ば以上進展する。
【００１２】
支柱１の上端部には組切欠４よりも下に連結金物５をネジ止めするための下部連結ボルト２５，２５の通し孔２７，２７を、また、組切欠４の両側に終着ボルト２９，２９の通し孔３１，３１がそれぞれ予め設けられている。
【００１３】
そこで、次に、桁３を支柱１の組切欠４に落とし込む作業となるが、その際に、同時に連結金物５が支柱１に納まるので、通し孔２７，２７から連結金物５に螺入孔３３，３３を形成し、下部連結ボルト２５，２５で連結金物５をネジ止めする（図３参照）。そして、最後に、支柱１の上部の通し孔３１，３１から桁３と補強部材７とに共通の螺入孔３５，３５を形成し、終着ボルト２９，２９でネジ止めして補強部材７の固定完了と同時に支柱１と桁３との連結が完了することになる。
【図面の簡単な説明】
【００１４】
【図１】この考案の要部材となる補強部材とそれが嵌合される桁の端部とを示す斜視図である。
【図２】支柱と桁とを連結する要領を示す要部分解斜視図である。
【図３】支柱と桁との連結完了の直前状態で示す要部斜視図である。
【図４】従来例を支柱と桁との連結要領で示す分解斜視図である。
【符号の説明】
【００１５】
１  支柱
３  桁
４  組切欠
５  連結金物
７  補強部材
９  始着ボルト
１９  上部連結ボルト
２９  終着ボルト
【図１】
0003125462.tif 000003
【図２】
0003125462.tif 000004
【図３】
0003125462.tif 000005
【図４】
0003125462.tif 000006